(57)【要約】【課題】セパレータ付き粘着シートの製造の容易化、材料コストの低減、貼り付け操作の容易化を図る。【解決手段】粘着シート１０の支持フィルム１１に粘着剤１２を積層し、その粘着面１２ａをフィルム状又はシート状のセパレータ２０で保護する、セパレータ２０は、展開状態で粘着シート１０の２倍以上３倍以下の長さを有し、かつ二つ折りされることによって、１つの被覆部２１と、折返部２２を含む。被覆部２１は、粘着面１２ａの全域を覆う。折返部２２は、被覆部２１の一端部に折り目２０ａを介して連なるとともに、被覆部２１から粘着シート１０側とは反対側へ折り返されている。【選択図】図１
2017008232.tif 000002
【特許請求の範囲】
【請求項１】
支持フィルムに粘着剤を積層してなる粘着シートと、
前記粘着シートの粘着面を保護するフィルム状又はシート状のセパレータと、
を備え、前記セパレータが、
展開状態で前記粘着シートの２倍以上３倍以下の長さを有し、かつ二つ折りされることによって、
前記粘着面の全域を覆う１つの被覆部と、
前記被覆部の一端部に折り目を介して連なるとともに前記被覆部から前記粘着シート側とは反対側へ折り返された折返部と
を含むことを特徴とするセパレータ付き粘着シート。
【請求項２】
前記セパレータの長さ積が、前記粘着シートの２倍〜２．５倍であることを特徴とする請求項１に記載のセパレータ付き粘着シート。
【請求項３】
支持フィルムに粘着剤を積層してなる粘着シートの粘着面を保護するフィルム状又はシート状のセパレータであって、
展開状態で前記粘着シートの２倍以上３倍以下の長さを有し、かつ二つ折りされることによって、
前記粘着面の全域を覆う１つの被覆部と、
前記被覆部の一端部に折り目を介して連なるとともに前記被覆部から前記粘着シート側とは反対側へ折り返された折返部と
を含むことを特徴とする粘着シート用セパレータ。
【発明の詳細な説明】
【技術分野】
【０００１】
本発明は、粘着シート及びその粘着面に設けられるセパレータに関し、特に、湿布薬等の経皮薬として皮膚に貼り付けられるのに適した粘着シート及びそのセパレータに関する。
【背景技術】
【０００２】
一般に、経皮薬等の粘着シートは、支持フィルムに粘着剤が積層されている。粘着剤の露出面（粘着面）は、フィルム状又はシート状のセパレータで被覆されている。このセパレータを剥がして、皮膚等の貼付対象に貼り付ける。
【０００３】
特許文献１のセパレータ付き粘着シートでは、セパレータが粘着シートの３倍超の長さを有している。このセパレータが粘着シートの周りを包み込んでいる。詳しくは、セパレータの長手方向の中央部分が粘着シートの非粘着面（支持フィルムの表面）に被さり、更に粘着シートの両端縁で１８０°折り曲げられることによって、粘着面側に回り込んで粘着面に半分ずつ貼り付けられ、粘着面のちょうど中央部で突き合わされている。更に、セパレータの両側部分が、粘着面のちょうど中央部において１８０°折り返されるとともに、粘着シートの両端縁よりも外側へ延出されている。
【先行技術文献】
【特許文献】
【０００４】
【特許文献１】特開２０１５−００９１３６号公報
【発明の概要】
【発明が解決しようとする課題】
【０００５】
前掲特許文献１のセパレータ付き粘着シートは、製造が容易でない。すなわち、例えば、セパレータを粘着シートの非粘着面に被せた後、粘着シートの両端縁で１８０°折り曲げる際に粘着面に触れないようにしながら作業する必要がある。また、セパレータの両側部分を粘着面のちょうど中央部で突き合わせ、かつ１８０°折り返すのは困難である。
また、セパレータを粘着シートの３倍以上の長さにする必要があり、材料コストが嵩む。
さらに、皮膚に貼り付ける際は、粘着シートを片手で皮膚に押し当てながら、セパレータの両端部をそれぞれ外方へ引き抜く必要があり、一人で行うのは容易でない。セパレータの両端部を片方ずつ引き抜くことも考えられるが、引き抜き作業を２回行う必要があり、煩雑である。
【課題を解決するための手段】
【０００６】
前記問題点を解決するために、本発明に係るセパレータ付き粘着シートは、支持フィルムに粘着剤を積層してなる粘着シートと、
前記粘着シートの粘着面を保護するフィルム状又はシート状のセパレータと、
を備え、前記セパレータが、
展開状態で前記粘着シートの２倍以上３倍以下の長さを有し、かつ二つ折りされることによって、
前記粘着面の全域を覆う１つの被覆部と、
前記被覆部の一端部に折り目を介して連なるとともに前記被覆部から前記粘着シート側とは反対側へ折り返された折返部と
を含むことを特徴とする。
前記セパレータ付き粘着シートによれば、セパレータを粘着シートの粘着面に貼り付けるとともに二つ折りにすることで、容易に製造できる。また、セパレータの長さを粘着シートの２倍以上とすることで、粘着面を確実に覆うことができるとともに、折返部の先端部を粘着シートの端から露出させることができる。かつ、セパレータの長さを粘着シートの３倍以下とすることで、材料コストが嵩むのを防止できる。粘着シートの使用時には、人体の皮膚等の貼付対象にセパレータ付き粘着シートを配置して、その上から片手で押さえながら、他方の手でセパレータの折返部の前記露出した先端部を引っ張って、セパレータを粘着シートと貼付対象との間から引き抜くことで、粘着シートを貼付対象に簡単に貼り付けることができる。１人で、かつ１回の引き抜き操作で貼り付けることができ、貼り付け作業の煩雑さを低減できる。さらには、セパレータを剥がしながら粘着シートを貼り付けることができるから、貼り付け時に粘着シートが変形して粘着面の各所どうしがくっ付くのを防止できる。
【０００７】
本発明に係る粘着シート用セパレータは、支持フィルムに粘着剤を積層してなる粘着シートの粘着面を保護するフィルム状又はシート状のセパレータであって、
展開状態で前記粘着シートの２倍以上３倍以下の長さを有し、かつ二つ折りされることによって、
前記粘着面の全域を覆う１つの被覆部と、
前記被覆部の一端部に折り目を介して連なるとともに前記被覆部から前記粘着シート側とは反対側へ折り返された折返部と
を含むことを特徴とする。
【０００８】
前記セパレータの長さは、前記粘着シートの２倍〜２．５倍であることが好ましい。これによって、粘着面を確実に覆うことができるとともに、折返部の先端部を粘着シートの端から露出させることができ、かつ材料コストが嵩むのを確実に防止できる。
【発明の効果】
【０００９】
本発明によれば、セパレータ付き粘着シートを容易に製造することができる。また、セパレータの長さを小さく抑えることで材料コストが嵩むのを防止できる。さらには、貼り付け操作を簡易化できる。
【図面の簡単な説明】
【００１０】
【図１】図１（ａ）は、本発明の一実施形態に係るセパレータ付き粘着シートの平面図である。図１（ｂ）は、前記セパレータ付き粘着シートのセパレータの展開平面図である。
【図２】図２は、図１（ａ）のＩＩ−ＩＩ線に沿う、前記セパレータ付き粘着シートの断面図である。
【図３】図３は、前記セパレータ付き粘着シートの斜視図である。
【図４】図４は、前記セパレータ付き粘着シートの製造方法の一例を示す斜視図である。
【図５】図５は、前記セパレータ付き粘着シートの使用方法を示し、同図（ａ）は、前記セパレータ付き粘着シートを患部に配置した状態の断面図であり、同図（ｂ）及び（ｃ）は、セパレータを剥がす状態の断面図である。同図（ｄ）は、粘着シートを貼り終えた状態の断面図である。
【発明を実施するための形態】
【００１１】
以下、本発明の一実施形態を図面にしたがって説明する。
図１（ａ）及び図２に示すように、セパレータ付き粘着シート１は、粘着シート１０と、セパレータ２０を備えている。粘着シート１０の形状は、一対の長手側縁１０ｆ，１０ｆと、一対の短手側縁１０ｄ，１０ｅを有する四角形状になっている。粘着シート１０は、支持フィルム１１と、粘着剤１２を含む。支持フィルム１１は、柔軟な樹脂にて構成されている。支持フィルム１１の片面に一定厚みの粘着剤１２が積層されている。粘着剤１２には、湿布薬等の経皮薬の成分が含有されている。粘着剤１２における支持フィルム１１側とは反対側の面が粘着面１２ａとなっている。
なお、図においてセパレータ付き粘着シート１の各要素１１，１２，２０の厚みは誇張されている。
【００１２】
粘着面１２ａは、セパレータ２０によって保護されている。セパレータ２０は、例えばポリエチレンテレフタレート（ＰＥＴ）等の樹脂にて構成され、フィルム状ないしはシート状になっている。なお、セパレータ２０の材質は、ＰＥＴに限られず、ポリエチレン（ＰＥ）やポリプロピレン（ＰＰ）等の他の樹脂であってもよく、剥離層付きの紙であってもよい。セパレータ２０の厚みは、例えば１０μｍ〜１ｍｍ以下である。図１（ｂ）に示すように、展開状態におけるセパレータ２０は、細長の長方形になっており、その長手方向の長さは、粘着シート１０の同方向の長さの２倍以上３倍以下である。好ましくは、セパレータ２０は、粘着シート１０の２倍〜２．５倍の長さを有している。
【００１３】
図１（ｂ）の一点鎖線及び図２に示すように、セパレータ２０は、ほぼ中央部において２つ折りされている。この折り目２０ａを挟んで、１つの被覆部２１と、折返部２２とが形成されている。被覆部２１は、粘着シート１０と実質的に同じ面積及び形状になっている。この被覆部２１が粘着面１２ａに被覆されている。
折り目２０ａは、粘着シート１０の１の短手側縁１０ｄに沿うように配置されている。
【００１４】
図２及び図３に示すように、折返部２２は、被覆部２１の一端部に折り目２０ａを介して連なっている。この折返部２２が、被覆部２１から粘着シート１０とは反対側に折り返されている。好ましくは、折り目２０ａにおいてセパレータ２０がほぼ１８０°折られ、被覆部２１と折返部２２とが重ねられている。セパレータ２０は、ＰＥＴ製であるため、折り目２０ａにコシを持たせることができ、１８０°近く折れた状態を維持できる。
好ましくは、折返部２２は、被覆部２１よりも少し長い。これによって、折返部２２の先端部（折り目２０ａとは反対側の端部）が、被覆部２１よりも外方へ延び出ており、ひいては粘着シート１０のもう１つの短手側縁１０ｅよりも外方へ延び出ることで、延出部２２ｅを構成している。
【００１５】
セパレータ付き粘着シート１は、例えば次のようにして製造される。
図４に示すように、支持フィルム１１となるべき長尺帯状の支持フィルム連続体１１Ｘと、セパレータ２０となるべき長尺帯状のセパレータ連続体２０Ｘを用意する。支持フィルム連続体１１Ｘの幅は、支持フィルム１１の長手寸法の２倍である。セパレータ連続体２０Ｘの幅は、展開状態のセパレータ２０の長さの２倍である。図示は省略するが、これら連続体１１Ｘ，２０Ｘは、それぞれ繰出ロールに巻き付けられており、この繰出ロールから繰り出される。
【００１６】
支持フィルム連続体１１Ｘの片面には、塗布ノズル２等によって粘着剤１２を塗布する。これによって、粘着シート連続体１０Ｘが形成される。粘着シート連続体１０Ｘの幅は、粘着シート１０の長手寸法の２倍であり、かつセパレータ連続体２０Ｘの幅の２分の１以下である。
続いて、粘着シート連続体１０Ｘを、セパレータ連続体２０Ｘの幅方向の中央部に貼り合わせ、粘着面１２ａをセパレータ連続体２０Ｘで覆う。これによって、粘着面１２ａを保護することができる。このようにして、セパレータ付き粘着シート連続体１Ｘが形成される。
【００１７】
このセパレータ付き粘着シート連続体１Ｘを幅方向の中央部で縦に切断するとともに、横に一定間隔置きに切断する。これによって、セパレータ付き粘着シート連続体１Ｘからセパレータ付き粘着シート１が２つずつ切り出される。
【００１８】
次に、各セパレータ付き粘着シート１のセパレータ２０を、粘着シート１０が積層された部分（被覆部２１）と非積層部分との境において折り曲げることで、折り目２０ａ及び折返部２２を形成する。
このようにして、セパレータ付き粘着シート１を容易に製造でき、しかも連続的かつ効率的に製造することができる。粘着シート連続体１０Ｘの粘着面１２ａをセパレータ連続体２０Ｘで覆った後に切断工程及び折り曲げ工程を行なうことで、粘着面１２ａの各箇所どうしがくっ付いたり、粘着面１２ａに異物が付着したりするのを防止でき、不良品の発生率を低減できる。
セパレータ２０の長さを粘着シート１０の２倍以上とすることで、セパレータ２０によって粘着面１２ａを確実に覆うことができるとともに、延出部２２ｅ（折返部２２の先端部）を粘着シート１０の端から確実に露出させることができる。かつ、セパレータ２０の長さを粘着シート１０の３倍以下とすることで、材料コストが嵩むのを防止できる。
【００１９】
セパレータ付き粘着シート１は、例えば次のようにして使用される。
図５に示すように、セパレータ付き粘着シート１を患部の皮膚３に配置して（同図（ａ））、その上から片手で押さえながら、反対側の手で延出部２２ｅを引っ張る（同図（ｂ）及び（ｃ））。延出部２２ｅは、粘着シート１０の外側に露出しているために、簡単に摘まんで引っ張ることができる。
なお、同図（ｂ）及び（ｃ）における白抜き矢印４Ａ，４Ｂは、貼り付け作業者の手を模式的に示したものである。
【００２０】
これによって、同図（ｄ）に示すように、セパレータ２０を粘着シート１０と皮膚３との間から簡単に引き抜くことができ、粘着シート１０を皮膚３に簡単に貼り付けることができる。先にセパレータ２０を剥がしてから粘着シート１０を皮膚３上に配置する必要がなく、粘着シート１０が変形して粘着面１２ａの各箇所どうしがくっ付くのを防止することができる。片手で粘着シート１０を押さえ、他方の手でセパレータ２０の折返部２２を引き抜けばよく、介助者が一人だけで要介助者に粘着シート１０を貼り付けることができる。引き抜き操作は１回でよく、煩雑さを低減できる。
【００２１】
本発明は、前記実施形態に限られず、その趣旨を逸脱しない範囲内で種々の改変をなすことができる。
例えば、セパレータ付き粘着シート１は、経皮薬等の医療用だけでなく、工業用や商業用等、種々の用途に適用できる。
セパレータ２０の折り目２０ａが、粘着シート１０の長手側縁１０ｆに沿っていてもよい。
セパレータ２０の折返部２２は、必ずしも粘着シート１０と同じ幅（短手方向の寸法）である必要はなく、粘着シート１０よりも幅狭であってもよい。
展開状態のセパレータ２０の長さが、粘着シート１０のほぼ２倍になっていて、折返部２２の先端部が粘着シート１０の縁１０ｅとほぼ一致していてもよく、延出部２２ｅが形成されていなくてもよい。
セパレータ付き粘着シート連続体１Ｘが、セパレータ付き粘着シート１の１枚分の幅を有していてもよく、又はセパレータ付き粘着シート１の３枚分以上の幅を有していてもよい。
【産業上の利用可能性】
【００２２】
本発明は、例えば経皮薬等の粘着シートに適用できる。
【符号の説明】
【００２３】
１        セパレータ付き粘着シート
１０      粘着シート
１１      支持フィルム
１２      粘着剤
１２ａ    粘着面
２０      セパレータ
２０ａ    折り目
２１      被覆部
２２      折返部
【図１】
2017008232.tif 000003
【図２】
2017008232.tif 000004
【図３】
2017008232.tif 000005
【図４】
2017008232.tif 000006
【図５】
2017008232.tif 000007